(57)【要約】【課題】本発明は無線ネットワークと通信端末とのデータ通信方法に関し、単一の基地局よりも効率的に無線リソースの使用をスケジューリングすることができる無線ネットワークと通信端末とのデータ通信方法を提供することを目的としている。【解決手段】無線ネットワーク１０と、ＰＣ１１に接続される複数の通信端末１２，１３とがデータ通信を行なうシステムにおいて、前記複数の通信端末のうちの１台はＳＩＭカードが装着された親端末１２、残りの端末を子端末１３とし、親端末１２と子端末１３はインタフェースを介してＰＣ１１と接続され、親端末１２と子端末１３に無線ネットワーク１０側からＩＭＳＩ番号を与え、親端末１２と子端末１３と無線ネットワーク１０との間でデータ通信を行なうように構成する。【選択図】図１
2008060649.tif 000002
【特許請求の範囲】
【請求項１】
無線ネットワークと、ＰＣに接続される複数の通信端末とがデータ通信を行なうシステムにおいて、
前記複数の通信端末のうちの１台はＳＩＭカードが装着された親端末、残りの端末を子端末とし、
親端末と子端末はインタフェースを介してＰＣと接続され、
親端末と子端末に無線ネットワーク側からＩＭＳＩ番号を与え、
親端末と子端末と無線ネットワークとの間でデータ通信を行なう、
ようにしたことを特徴とする無線ネットワークと通信端末とのデータ通信方法。
【請求項２】
親端末に電源が入ると、親端末は位置登録を行ない、
親端末に接続されたＰＣが通信の準備が完了すると、ＰＣ上で起動された通信アプリケーションの指示により親端末は子端末のＩＭＳＩ番号の取得と子端末の監視及びＰＣへの報告を行なうことを特徴とする請求項１記載の無線ネットワークと通信端末とのデータ通信方法。
【請求項３】
並列接続された通信端末から無線ネットワークに接続して、複数の物理チャネルを確保することを特徴とする請求項２記載の無線ネットワークと通信端末とのデータ通信方法。
【請求項４】
前記子端末に、一定時間後にＩＭＳＩ番号の状態を開放する機能を持たせたことを特徴とする請求項３記載の無線ネットワークと通信端末とのデータ通信方法。
【請求項５】
前記無線ネットワークは、ＩＭＴ−２０００（Ｗ−ＣＤＭＡ）システムであることを特徴とする請求項１乃至４の何れかに記載の無線ネットワークと通信端末とのデータ通信方法。
【発明の詳細な説明】
【技術分野】
【０００１】
本発明は無線ネットワークと通信端末とのデータ通信方法に関し、更に詳しくは通信端末と無線ネットワークの接続技術に関する。
【背景技術】
【０００２】
従来のＩＭＴ−２０００（Ｗ−ＣＤＭＡ）システムにおける通信は、通信端末に装着されたＳＩＭ（Ｓｕｂｓｃｒｉｂｅｒ  Ｉｄｅｎｔｉｔｙ  Ｍｏｄｕｌｅ）カードに記録された、カード毎に一意であるＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）番号を用いて無線ネットワーク内のユーザ識別に用いている。逆に、ＩＭＳＩ番号がないと無線ネットワークに端末を登録することができず、通信が実施できない。ここで、ＳＩＭカードは、携帯電話会社が発行する契約者情報を記録したＩＤカードであり、ＳＩＭの差し替えにより複数の端末を同じ契約者扱いで利用することができるようになっている。
【０００３】
通常、端末に内蔵する無線デバイスは、一つの無線リンクセットしか通信が行えず、一つの無線リンクセットで通信が可能な通信速度は、ＩＭＴ−２０００システムでは数Ｍｂｐｓ程度である。
【０００４】
従来のこの種のシステムとしては、通信端末は２つのＵＳＩＭカードをそれぞれ挿入可能なソケットを備え、そのソケットへのＵＳＩＭカードの装着が検知されると、そのソケット内のＵＳＩＭカードの活性化処理ができ、またこの活性化の後にこのＵＳＩＭカードから位置登録情報を読み出して通信端末の位置登録を可能にしたものが知られている（例えば特許文献１参照）。
【特許文献１】特開２００２−２１８５３６号公報（段落００１７〜００１８、図２〜図４）
【発明の開示】
【発明が解決しようとする課題】
【０００５】
近年の携帯電話の市場では、機能、性能、デザインにおいて常に通信端末の進化が見られる。そのために、多くの携帯電話ユーザは数年以内で通信端末の買い替えを行ない、より進化した通信端末を手にしたいという要求がある。ＩＭＴ−２０００（Ｗ−ＣＤＭＡ）システムにおいては、ＳＩＭカードによりユーザを識別するために、ＳＩＭカードを旧端末から新端末に差し替えるだけで、端末の機種交換が可能である。
【０００６】
従って、多くのユーザは旧端末から新端末に差し替えるだけで、端末の機種交換が可能である。従って、多くのユーザは端末の買い替えと同時に、古い端末が手元に残るといった現象が発生する。しかしながら、古い通信端末はＳＩＭカードが挿入されていないために、通信を行なうことができない通信端末がユーザの手元に増えることになる。
【０００７】
また、移動体通信システムにおいて、基地局の収容能力を超えた通信速度を得る方法を考えると、複数の基地局（セル）を接続して、異なるデータをそれぞれの基地局から同時に送受信することで通信速度を倍増する方法が考えられる。しかしながら、このような技術は一つの端末に複数の無線機を搭載することと等しく、端末の小型化や製造コストを考えると非常に効率が悪い。
【０００８】
また、セル方式の移動体通信システムにおいては、該当端末の属する基地局の他端末収容状況により、割り当てられる帯域が制限され、混雑時には希望の通信速度を得ることができない。
【０００９】
本発明はこのような課題に鑑みてなされたものであって、不要になった端末の有効利用を図り、同等の能力を持つ通信端末を複数台並列に接続して、なおかつ代表する一つの端末（親端末）で通信を制御することで、簡易かつ低コストで高速無線通信を実現し、複数の基地局と接続することで、単一の基地局よりも効率的に無線リソースの使用をスケジューリングすることができる無線ネットワークと通信端末とのデータ通信方法を提供することを目的としている。
【課題を解決するための手段】
【００１０】
（１）請求項１記載の発明は、無線ネットワークと、ＰＣに接続される複数の通信端末とがデータ通信を行なうシステムにおいて、前記複数の通信端末のうちの１台はＳＩＭカードが装着された親端末、残りの端末を子端末とし、親端末と子端末はインタフェースを介してＰＣと接続され、親端末と子端末に無線ネットワーク側からＩＭＳＩ番号を与え、親端末及び子端末と無線ネットワークとの間でデータ通信を行なうようにしたことを特徴とする。
（２）請求項２記載の発明は、親端末に電源が入ると、親端末は位置登録を行ない、親端末に接続されたＰＣが通信の準備が完了すると、ＰＣ上で起動された通信アプリケーションの指示により親端末は子端末のＩＭＳＩ番号の取得と子端末の監視及びＰＣへの報告を行なうことを特徴とする。
（３）請求項３記載の発明は、並列接続された通信端末から無線ネットワークに接続して、複数の物理チャネルを確保することを特徴とする。
（４）請求項４記載の発明は、前記子端末に、一定時間後にＩＭＳＩ番号の状態を開放する機能を持たせたことを特徴とする。
（５）請求項５記載の発明は、前記無線ネットワークは、ＩＭＴ−２０００（Ｗ−ＣＤＭＡ）システムであることを特徴とする。
【発明の効果】
【００１１】
（１）請求項１記載の発明によれば、ＰＣでＳＩＭカードが挿入された通信端末と、ＳＩＭカードが挿入されていない子端末との間を制御し、親端末に限らず子端末にも無線ネットワーク側からＩＭＳＩ番号を与えることにより、親端末及び子端末と無線ネットワークとの間でデータ通信を行なうことが可能となる。
（２）請求項２記載の発明によれば、親端末は子端末のＩＭＳＩ番号を取得することができるようになる。
（３）請求項３記載の発明によれば、端末側で複数の物理チャネルを確保することができるようになる。
（４）請求項４記載の発明によれば、子端末に一定時間後にＩＭＳＩ番号の状態を開放する機能を持たせることにより、ＩＭＳＩ番号が枯渇するのを防止することができる。
（５）請求項５記載の発明によれば、前記無線ネットワークとしてＩＭＴ−２０００（Ｗ−ＣＤＭ）システムを用いることができる。
【発明を実施するための最良の形態】
【００１２】
以下、図面を参照して本発明の実施の形態例を詳細に説明する。
図１は本発明のネットワーク構成例を示すブロック図である。図において、１０はＩＭＴ−２０００無線ネットワーク（以下ＩＭＴ−２０００システムという）である。ＩＭＴ−２０００システム１０において、１は無線アンテナ、２は無線アンテナ１と接続される無線基地局（以下基地局と略す）、３は基地局２と接続される基地局制御局である。なお、本実施の形態例においてはＩＭＴ−２０００システムを例としているが、本発明はこのシステムに限るものではない。
【００１３】
１１はＰＣ（パーソナルコンピュータ：約してパソコン）、１２は該ＰＣ１１と接続される親端末、１３は同じくＰＣ１１と接続される子端末である。ここで、親端末とは内部にＳＩＭカードが装着された端末であり、子端末とは内部にＳＩＭカードが装着されていない端末である。２０はＩＭＴ−２０００システム１０と接続される交換機、２１は該交換機２０と接続されるゲートウェイ（ＧＷ）、２５は該ＧＷ２１と接続されるインターネットである。
【００１４】
親端末１２は、基本となる無線通信機能は従来の端末と全く同じであり、単独でも無線ネットワークに接続して通信が可能である。子端末１３は、基本となる無線通信機能は従来の端末と同じであるが、ＳＩＭカードが装着されていないためにＩＭＳＩ番号を持たず、単独では通信ができない。ここで、ＩＭＳＩ番号とは最大１５桁の番号で、国を識別できる３桁のＭＭＳ番号、事業者を識別できる２桁のＭＮＣ番号、移動無線機を識別できる最大１０桁のＭＳＩＮ番号（図５参照）からなる。
【００１５】
図２はＰＣと通信端末の接続と端末間の通信形態を示す図である。図１と同一のものは、同一の符号を付して示す。ＰＣ１１において、１１ａはユーザアプリケーション、１１ｂは通信アプリケーションである。１２は親端末、１３は子端末、１５はこれら通信端末１２，１３とＰＣ１１間を接続するＵＳＢインタフェースである。図中、実線で示す矢印は制御信号（ＡＰＬレイヤ）、破線で示す矢印はユーザ信号（パケット（ＴＣＰ／ＩＰ，ＵＤＰ）レイヤ）である。
【００１６】
一般に、ＩＭＴ−２０００システムを用いてＰＣでデータ通信を行なう場合、通信端末（例えば携帯電話）とＰＣを、ＵＳＢインタフェース１５を介して接続する。本発明では、その際に、親端末１２が必ず一つ含まれ、子端末１３は複数台接続できるものとする。また、親端末１２と子端末１３では、ＡＰＬ（アプリケーション）レイヤでの通信を用いてＰＣ１１を中継した制御メッセージの送受信を行ない、ＩＭＳＩ番号や発信先などの情報の送受信や、親端末１２から子端末１３への指示などを行なう。
【００１７】
また、それぞれの端末は無線ネットワークと独立に通信を行ない、ユーザデータはＩＰレイヤにてＰＣ１１上で統合（下り通信）若しくは分配（上り通信）され、ユーザに受け渡しされる。図３はＰＣに接続された複数の通信端末の通信動作を示す図である。図２と同一のものは、同一の符号を付して示す。破線の矢印はユーザデータ（パケット）、実線の矢印は制御信号である。図３に示すように、ＰＣ１１に接続された複数の通信端末１２，１３がそれぞれ無線ネットワークに接続して通信を行なうことで、従来よりも端末台数倍大きな通信速度を得ることができる。
【００１８】
本発明によれば、ＰＣでＳＩＭカードが装着された通信端末と、ＳＩＭカードが挿入されていない子端末との間を制御し、親端末に限らず子端末にも無線ネットワーク側からＩＭＳＩ番号を与えることにより、親端末及び子端末と無線ネットワークとの間でデータ通信を行なうことが可能となる。
【００１９】
図４は予約ＭＳＩＮ（Ｍｏｂｉｌ  Ｓｕｂｓｃｒｉｂｅｒ  Ｉｄｅｎｔｉｆｉｃａｔｉｏｎ  Ｎｕｍｂｅｒ）番号と親ＭＳＩＮ番号との関係を示す図である。ＩＭＴ−２０００システムでは、無線ネットワーク内の通信端末識別のためにユニークな識別番号としてＩＭＳＩ番号を用いている。図では、予約ＭＳＩＮ番号と、番号状態と、親ＭＳＩＮ番号と寿命とが記載されている。予約ＭＳＩＮ番号は１０桁の番号よりなり、番号状態は“使用中”と“未使用”とを示し、親端末との関係で子端末になる場合には、その該当する親ＭＳＩＮ番号が記載される。寿命は、子端末に付与される寿命を示すものである。
【００２０】
例えば予約ＭＳＩＮ番号が“８０００００００００”の子端末の場合、番号状態は“使用中”であり、その子端末の親端末のＭＳＩＮ番号が“１２３３４９８７７６”である。この子端末の寿命は“９８７７”である。即ち、使用中の子端末は該当する親端末と親ＭＳＩＮ番号とで結ばれる。ここで、子端末に寿命を付与するのは、ＩＭＳＩを持たない通信端末が長くＭＳＩＮを保持することによるＩＭＳＩ番号が枯渇するのを防止するためである。寿命を示すデータは、一定の時間毎に順次減算されていき、０になった時点でＩＭＳＩ番号を開放する（詳細後述）。
【００２１】
図５はＩＭＳＩとＭＳＩＮの関係を示す図である。前述したように、ＩＭＳＩ番号は最大１５桁の番号で、国を識別できる３桁のＭＭＳ番号、事業者を識別できる２桁のＭＮＣ（Ｍｏｂｉｌｅ  Ｎｅｔｗｏｒｋ  Ｃｏｄｅ）番号、移動通信端末を識別できる最大１０桁のＭＳＩＮ番号からなる。このうち、ＭＳＩＮ番号は事業者により自由に通信端末に対して割り当てることができる。
【００２２】
例えば、１０桁のＭＳＩＮ番号の場合、１０桁目が“８”の数字（８０００００００００〜８９９９９９９９９９）を、無線ネットワーク側から発行するＩＭＳＩ（ＭＳＩＮを含む）のために予約する。事業者がＳＩＭカードを発行する際は、前述の１０桁目が“８”の数字以外のＭＳＩＮ番号をカード内に記録してユーザに提供する。無線システム側は、ＭＳＩＮ番号の１０桁目を参照して、そのＩＭＳＩ番号がＳＩＭカードによるものか、無線ネットワーク側から発行したものかを判別することができる。
【００２３】
図６はＩＭＳＩ番号取得のためのノード間シーケンスを示す図である。図では、ＰＣと、親端末と、３台の子端末（＃１〜＃３）と、基地局と、基地局制御局と、ＧＷ間の信号のやりとりを示している。無線ネットワーク側（例えばＩＭＴ−２０００システム側）で管理するＩＭＳＩ番号はＧＷに接続されたデータベース（ＤＢ）２２（図１参照）で管理される。それぞれの予約されたＩＭＳＩ番号は、ＩＭＳＩ番号状態、リンクする親端末のＩＭＳＩ番号、該当ＩＭＳＩ番号の寿命のパラメータを持つ（図４参照）。ＩＭＳＩ番号の状態は“未使用”と“使用中”に区別される。
【００２４】
以下の手順で親端末からの要求でＧＷはＩＭＳＩ番号を払い出す。なお、親端末からの要求は基地局制御局を経由して、制御プロトコル（端末−無線ネットワーク間プロトコル）にてメッセージを送受信する。先ず、親端末に電源が入ると（Ｓ１）、親端末は従来技術の手順で位置登録を行なう。位置登録は制御プロトコル（端末−無線ネットワーク間プロトコル）にて基地局、基地局制御局を中継してホームエージェントサーバ（ＨＡ）２３で実施される（シーケンス１．１，１．２）。
【００２５】
親端末に接続されたＰＣ側では、通信アプリケーションが起動されると（Ｓ２）、ＰＣ上で駆動された通信アプリケーションの指示により、親端末に「端末監視開始要求メッセージ」が送信される（シーケンス２．１）。このメッセージの受信を契機に、親端末は、子端末のＩＭＳＩ番号の取得、子端末の監視及びＰＣへの報告を行なう。この場合において、ＰＣから発信される「端末監視開始要求」メッセージには、ＰＣに接続された通信端末の情報（台数や能力情報）が含まれる。
【００２６】
親端末は、受信した「端末監視要求」メッセージの情報を元に、各子端末のためのＩＭＳＩ番号取得処理を次のように行なう。なお、以降の追加された制御メッセージはＲＲＣ（無線リソース制御）プロトコルに追加されたものである。親端末はＧＷに対して「ＩＭＳＩ番号取得要求」メッセージを送信する（シーケンス３．１）。「ＩＭＳＩ番号取得要求」メッセージには、親端末のＩＭＳＩ番号と、ＩＭＳＩ番号の取得が必要な子端末の台数が含まれる。
【００２７】
ＧＷでは、以下の手順でＤＢからＩＭＳＩ番号を払い出す（Ｓ３）。
１．親端末から子端末用のＩＭＳＩ番号を要求されると、ＤＢから「未使用」のＩＭＳＩ番号を検索する。
２．ＩＭＳＩ番号に空きがあると、そのＩＭＳＩ番号の状態を「使用中」に変更して親端末に通知する。
３．そして、ＤＢの払い出したＩＭＳＩ番号に親端末のＩＭＳＩ番号を記録する（図４参照）。
４．ＩＭＳＩ番号に空きがない場合には、取得不可のメッセージを返す。
【００２８】
上記の手順でＩＭＳＩ番号を払い出すと、ＧＷは「ＩＭＳＩ番号取得応答」メッセージを親端末に返す（シーケンス３．２）。なお、「ＩＭＳＩ番号取得応答」メッセージには、払い出されたＩＭＳＩ番号とそれぞれの番号の寿命が含まれる（図４参照）。
【００２９】
ＩＭＳＩ番号を取得できた親端末は、「ＩＭＳＩ番号通知」メッセージにて各子端末に対して、ＧＷからＩＭＳＩ番号を通知する（シーケンス４．１）。シーケンス４．１は親端末から子端末＃１への通知である。子端末＃２についてもＩＭＳＩ番号を通知し（シーケンス４．１）、子端末＃３についてもＩＭＳＩ番号を通知する（シーケンス４．１）。ＩＭＳＩ番号を通知された各子端末は、それぞれ従来技術の位置登録手順にて位置登録を実施する（シーケンス５．１，５．２）。
【００３０】
位置登録が完了すると、親端末に対して「ＩＭＳＩ番号通知応答」メッセージを通知し、位置登録の完了を通知する（シーケンス４．２）。この親端末へのメッセージ通知は、それぞれの子端末から親端末に対して通知される。親端末は、「位置登録完了通知」メッセージを何れかの子端末から受信すると、ＰＣに対して「端末状態報告」メッセージを送信して、該当する子端末が通信準備ができたことを通知する（シーケンス２．２，２．３，２．４）。
【００３１】
親端末は、子端末の状態が変化する度に同様にＰＣに「端末状態報告」メッセージにて子端末の通信可能状態を通知する。以上の手順が終了すると、ＰＣに接続された子端末はＩＭＳＩ番号を取得し、位置登録が完了しているので、通信を開始することが可能な状態となっている。なお、親端末を含め、一つの端末でも位置登録が完了すれば、ＰＣは通信可能な端末を使って通信を開始することができる。
【００３２】
この実施の形態例によれば、親端末は子端末のＩＭＳＩ番号を取得することができるようになる。また、端末側では複数の物理チャネルを確保することができるようになる。
図７は本発明における複数端末からの発信シーケンスを示す図である。この実施の形態例では、以下に示す方法で複数台接続した通信端末により無線通信を行なう。この例では、図に示すように親端末と＃１〜＃３の子端末は既に位置登録が完了しているものとする（Ｓ１）。親端末が接続されたＰＣにおいて、ユーザが通信アプリケーションの通信開始コマンドを実行すると（Ｓ２）、ＰＣから親端末へ「通信開始要求」メッセージが送信される（シーケンス１．１）。
【００３３】
「通信開始要求」メッセージには、通信する相手の宛先と、通信を行なう端末の情報（子端末番号等）、通信サービス種別等が含まれる。親端末は、通信開始要求を受信すると、各子端末に通信開始要求を転送する（シーケンス２．１〜２．３）。親端末及び子端末は、通信開始要求受信後に、ＩＭＴ−２０００システムで規定された従来の手順の発信シーケンスに基づき（Ｓ３）、保持しているＩＭＳＩ番号を用いて無線ネットワークに接続し、相手先との通信を確立する（シーケンス３．１，３．２）。親端末はＰＣに対して通信開始応答を通知する（シーケンス１．２）。
【００３４】
子端末＃１は、基地局に対して接続要求を行なう（シーケンス４．１）。これにより、基地局制御局と子端末＃１との間で従来の発信手順が行われる（Ｓ５）。ＰＣ側では、データ通信を開始する（Ｓ４）。子端末＃１の接続が完了すると、親端末に通知され（シーケンス４．２）、親端末はＰＣに接続完了を通知する（シーケンス５．１）。接続完了の通知は、親端末の場合は「通信開始応答」メッセージにて（シーケンス番号１．２）、子端末の場合は、前記した子端末の状態が変更されたことによる「端末状態報告」メッセージにて（シーケンス５．１，５．２）通知される。
【００３５】
ＰＣは最初に受信した接続完了の通知を契機に接続が完了した端末を通じてデータ通信を開始する。他の端末の接続が完了すると、その端末でもユーザデータの送受信が開始される（Ｓ６）。各子端末は電波状況に応じて、親端末の制御の下、接続・切断を繰り返すことが可能である。ただし、親端末の接続が切断された場合には、付随する全ての子端末の接続をネットワークより切断する。
【００３６】
本発明では、以下の方法で不正なＩＭＳＩ番号を使った無線ネットワークへの接続（発信）を防ぐようになっている。本発明では、ＩＭＳＩ番号がネットワーク側から動的に割り当てられる。ＳＩＭカードといったハードウェアで固定のＩＤとは異なり、ハッキンキング等を用いて、不正に取得されたＩＭＳＩ番号を使用されることが考えられる。ＩＭＳＩ番号は、加入者情報や課金、電話番号とのリンク等に使われることから、不正なＩＭＳＩ番号で通信が行われることを防止する必要がある。
【００３７】
無線ネットワーク側から発行されるＩＭＳＩ番号が管理されるＤＢ２２では、払い出されたＩＭＳＩ番号にそれぞれ親端末のＩＭＳＩ番号（ＳＩＭカードによる）が記録されている（図４参照）。子端末から接続要求が発信された場合に、無線ネットワーク側発行ＩＭＳＩ番号を管理するＧＷ２１にて、子端末にＩＭＳＩ番号の正当性をチェックする。
【００３８】
図８はＩＭＳＩ番号の正当性チェックの手順を示す図である。従来のＩＭＴ−２０００システムにおける無線ネットワーク接続手順に、基地局制御局からＧＷへＩＭＳＩ番号の確認要求を行なう手順を追加する。ＧＷでの方法は、接続要求を送信した子端末が所属する親端末のＩＭＳＩ番号が無線ネットワーク上で通信中であることを確認することで実施される。
【００３９】
親端末が通信中でない場合には、ＧＷにてＩＭＳＩ番号無効として確認結果応答を基地局制御局に返し、基地局制御局は端末からの接続要求をリジェクトする。以下、図８のシーケンスについて説明する。子端末＃１に接続要求があると（Ｓ１）、該子端末は基地局制御局に対して無線リンク接続要求を行なう（Ｓ２）。この無線リンク接続要求を受けた基地局制御局では、ＧＷに対してＩＭＳＩ番号確認要求を行ない（Ｓ３）、ＧＷからＩＭＳＩ番号確認結果を（ＯＫ，ＮＧ）を受ける（Ｓ４）。
【００４０】
その後、基地局と基地局制御局間で無線リンク設定手順が行われる（Ｓ５）。次に、基地局制御局では、子端末に対して無線リンク接続応答を返し（Ｓ６）、該子端末から無線リンク接続完了を受ける（Ｓ７）。この後、子端末と基地局制御局間でユーザ回線設定手順が実行される（Ｓ８）。
【００４１】
次に、ＩＭＳＩが発行されてから一定時間が経つとＩＭＳＩ番号を開放する機能について説明する。無線ネットワーク側発行ＩＭＳＩ番号は、用意する数にもよるが、限りある資源である。また、本発明では、子端末の待ち受け中、つまり通信を行なっていない状態でもＩＭＳＩ番号を確保していることがあるため、無用にＩＭＳＩ番号を長時間保持してしまい、ＩＭＳＩ番号の枯渇のおそれがある。
【００４２】
そのため、ＩＭＳＩ番号を管理するＤＢ２２（図１参照）にてＩＭＳＩ番号の寿命を設定し、払い出されてから一定時間後に強制的に開放する。寿命判定の手順を以下に示す。
１．周期的にＤＢ内の「使用中」状態である全てのＩＭＳＩ番号の寿命を減算する。
２．減算した結果、ゼロとなったＩＭＳＩ番号は開放対象のＩＭＳＩ番号とする。
寿命到達による開放対象となったＩＭＳＩ番号は、子端末が所属する親端末へ、ＧＷ側から、該当する子端末のＩＭＳＩ番号の開放の通知を行ない、ＤＢ上のＩＭＳＩ番号状態を「未使用」に変更する。また親端末においても、一定時間通信を行なわない場合には、子端末のＩＭＳＩ番号の開放を行なう（以上、図４参照）。
【００４３】
この実施の形態例によれば、子端末に一定時間後にＩＭＳＩ番号の状態を開放する機能を持たせることにより、ＩＭＳＩ番号が枯渇するのを防止することができる。
上述の実施の形態例では、無線ネットワークとしてＩＭＴ−２０００システムを用いた場合を例にとったが、本発明はこれに限るものではなく、その他の無線ネットワークを用いることができる。
【図面の簡単な説明】
【００４４】
【図１】本発明のネットワーク構成例を示すブロック図である。
【図２】ＰＣと携帯端末の接続と端末間の通信形態を示す図である。
【図３】ＰＣに接続された複数の通信端末の通信動作を示す図である。
【図４】予約ＭＳＩＮ番号と親ＭＳＩＮ番号の関係を示す図である。
【図５】ＩＭＳＩとＭＳＩＮの関係を示す図である。
【図６】ＩＭＳＩ番号取得のためのノード間シーケンスを示す図である。
【図７】本発明における複数端末からの発信シーケンスを示す図である。
【図８】ＩＭＳＩ番号の正当性チェック手順を示す図である。
【符号の説明】
【００４５】
１    無線アンテナ
２    基地局
３    基地局制御局
１０  ＩＭＴ−２０００システム
１１  ＰＣ
１２  親端末
１３  子端末
２０  交換機
２１  ＧＷ
２２  ＤＢ
２５  インターネット
【図１】
2008060649.tif 000003
【図２】
2008060649.tif 000004
【図３】
2008060649.tif 000005
【図４】
2008060649.tif 000006
【図５】
2008060649.tif 000007
【図６】
2008060649.tif 000008
【図７】
2008060649.tif 000009
【図８】
2008060649.tif 000010